(57)【特許請求の範囲】
【請求項１】
凹部が形成されたリューズ本体及び当該凹部に固定される飾り石を備える時計用リューズにおいて、
前記リューズ本体は、前記凹部が形成される頭部と、前記頭部から第１方向に延出された軸部とを備え、
前記凹部は、前記軸部の延出方向に直交する底面と、前記底面の外周縁から連続して前記第１方向とは反対方向側に延出する内側面とを備え、
前記飾り石は、前記第１方向とは反対方向側に延出する側面と、前記側面の前記底面とは反対方向側の端部から連続して前記内側面から離れる方向に傾斜する傾斜面とを有し、
前記凹部の内側面の深さ寸法ａは、０．５ｍｍ以上であり、
前記側面の深さ寸法ｂは、前記深さ寸法ａよりも小さい値であり、
前記凹部の内側面と前記飾り石の前記側面との間、および前記凹部の内側面と前記傾斜面の一部との間には、接着剤が配置されていることを特徴とする時計用リューズ。
【請求項２】
請求項１に記載の時計用リューズにおいて、
前記凹部の内側面と前記傾斜面との間に配置された前記接着剤の厚さ寸法をαとすると、前記深さ寸法ａは、前記深さ寸法ｂと前記厚さ寸法αとの和と同一となることを特徴とする時計用リューズ。
【請求項３】
請求項１または請求項２に記載の時計用リューズにおいて、
前記内側面は、前記凹部の底面から垂直に起立し、
前記飾り石の前記側面は、前記内側面に平行であることを特徴とする時計用リューズ。
【請求項４】
請求項１から請求項３のいずれか一項に記載の時計用リューズにおいて、
前記接着剤は、紫外線硬化接着剤により構成されていることを特徴とする時計用リューズ。
【請求項５】
請求項１から請求項４のいずれか一項に記載の時計用リューズを備える時計。
【発明の詳細な説明】
【技術分野】
【０００１】
本発明は、時計用リューズ及び時計に関する。
【背景技術】
【０００２】
従来、腕時計のケース内には、ステップモーター及び輪列を備え、当該ステップモーター及び輪列を介して時針、分針及び秒針を駆動させるムーブメントを備えている。このような、ムーブメントには、巻真を介してリューズが接続され、当該リューズの頭部には、装飾性を向上させるため透明部材（飾り石）が固定されている（例えば、特許文献１参照）。
【０００３】
上記特許文献１に記載の腕時計用リューズでは、リューズ本体の頭部に凹部が形成され、当該凹部には、位置合わせ用のマークが印刷されたシートが固定配置され、当該シート上にＵＶ硬化接着剤が塗布される。そして、ＵＶ硬化接着剤が塗布されたシート上に透明部材が配置された後、紫外線が照射され、当該頭部に透明部材が固定される。
【先行技術文献】
【特許文献】
【０００４】
【特許文献１】特開２００２−６２３６９号公報
【発明の概要】
【発明が解決しようとする課題】
【０００５】
しかしながら、上記特許文献１に記載の腕時計用リューズでは、凹部の内側面及び透明部材における接着剤との接合面積が充分ではない場合があり、当該凹部から透明部材が外れる可能性が高いという問題がある。
【０００６】
本発明は、リューズ本体の凹部に確実に飾り石を固定できる時計用リューズ及び時計を提供することを目的とする。
【課題を解決するための手段】
【０００７】
本発明の時計用リューズは、凹部が形成されたリューズ本体及び当該凹部に固定される飾り石を備える時計用リューズにおいて、前記凹部の内側面と前記飾り石との間には、接着剤が配置され、前記内側面の深さ寸法は、０．５ｍｍ以上であることを特徴とする。
【０００８】
本発明によれば、凹部の内側面の深さ寸法が０．５ｍｍ以上に設定されていることから、当該内側面と飾り石との間に充分に接着剤が配置される。これによれば、内側面及び飾り石における接着剤との接合面積を拡大できるので、凹部と飾り石とを確実に接着剤により固定できる。このため、例えば、時計用リューズの製造過程における不良率を低減できる。また、製造後においても、当該飾り石に当該凹部に対して衝撃が加えられた場合であっても、当該衝撃により飾り石が当該凹部から外れることを抑制できる。
【０００９】
本発明では、前記内側面は、前記凹部の底面から垂直に起立し、前記飾り石は、前記内側面に平行な側面を有し、前記内側面と前記側面との間には、接着剤が配置されていることが好ましい。
本発明によれば、凹部の内側面が底面から垂直に起立し、飾り石が当該内側面と平行な側面を有しているので、内側面と飾り石の側面との距離を小さくした状態で飾り石を凹部に配置し、内側面と側面との間に略均等に接着剤を配置できる。すなわち、内側面と側面とが平行でない場合に比べて、当該内側面と側面との接合力を高めることができる。従って、飾り石をリューズ本体に確実に固定できる。
【００１０】
本発明では、前記側面は、前記凹部の底面側から、当該凹部の開口面より前記底面側の位置まで延出し、前記飾り石は、前記側面の前記底面とは反対方向側の端部から連続して前記内側面から離れる方向に傾斜する傾斜面を有し、前記傾斜面と前記内側面との間に前記接着剤が配置されていることが好ましい。
本発明では、飾り石の傾斜面と内側面との間に接着剤が配置されるので、当該飾り石を凹部の内側面のみならず、開口面側でも固定することができる。これによれば、飾り石が凹部の開口面側への移動を確実に規制することができるので、時計用リューズの衝撃等に対する強度を更に高めることができる。
【００１１】
本発明では、前記接着剤は、紫外線硬化接着剤により構成されていることが好ましい。
本発明によれば、凹部の内側面と飾り石との間に配置される接着剤がＵＶ硬化接着剤により構成されているので、紫外線が照射されるまで、当該接着剤は硬化することがない。これによれば、凹部に飾り石を配置した後、当該飾り石の位置を調整できる。
【００１２】
本発明の時計は、上記時計用リューズを備えることを特徴とする。
本発明によれば、上記時計用リューズと同様の効果を奏することができる。また、時計用リューズの不良率を低減できるので、当該時計用リューズを備える時計の不良率も低減させることができる。
【図面の簡単な説明】
【００１３】
【図１】本発明の第１実施形態に係る時計の平面図。
【図２】上記第１実施形態における時計の断面図。
【図３】上記第１実施形態におけるリューズの斜視図。
【図４】上記第１実施形態におけるリューズの平面図。
【図５】上記第１実施形態におけるリューズの拡大図。
【図６】本発明の第２実施形態に係る時計の断面図。
【発明を実施するための形態】
【００１４】
［第１実施形態］
以下に、本発明の第１実施形態について、図面を用いて説明する。
図１は、本実施形態に係る時計１の平面図であり、図２は、時計１を図１におけるＡ１−Ａ１線にて切断した断面を示す断面図である。
時計１は、図１及び図２に示すように、後述するムーブメント等を収容する外装ケース２を備える。この外装ケース２は、ケース本体３と、裏蓋４と、を備える。このケース本体３は、円筒状の胴１１と、当該胴１１の表面側に設けられたベゼル１２とを備える。
【００１５】
胴１１の側面には、貫通孔１１１が形成され、当該貫通孔１１１を挿通する軸部８２を有するリューズ７が設けられている。ベゼル１２は、リング状に形成されている。これらベゼル１２と胴１１とは、互いの対向面に形成された凹凸による嵌め合わせ構造あるいは両面粘着テープや接着剤等の手段により接続されている。なお、ベゼル１２は、胴１１に対して回転可能に取り付けられていてもよい。
ベゼル１２の内側には、ベゼル１２によって保持されたカバーガラス５が取り付けられている。
【００１６】
ケース本体３の裏面側には、ケース本体３の裏面側の開口を塞ぐ円板状の裏蓋４が設けられている。裏蓋４は、ケース本体３の胴１１にねじ込まれて取り付けられている。
胴１１、ベゼル１２、裏蓋４には、ＢＳ（真鍮）、ＳＵＳ（ステンレス鋼）、チタン合金などの金属材料が利用される。
【００１７】
［時計の内部構造］
次に、時計１の外装ケース２に内蔵される内部構造について説明する。
外装ケース２内には、図２に示すように、ムーブメント６と、文字板１５と、上記文字板１５の外周縁に沿って配置されたダイヤルリング１６と、文字板受けリング１７と、中枠（図示省略）とが収納されている。
ムーブメント６は、上記文字板受けリングの内周に取り付けられている。また、文字板１５は上記文字板受けリングの表面に当接され、ムーブメント６の時計表面側（カバーガラス５側）に取り付けられている。
【００１８】
［ムーブメントの構成］
ムーブメント６は、従来から時計に用いられているものが利用できる。本実施形態では、ソーラーパネルと、この発電機の発電電力を充電する二次電池と、二次電池の電力で駆動されるステップモーターとを備えたムーブメントである。
なお、ムーブメント６としては、ボタン型の一次電池でステップモーターを駆動する一般的なクオーツ時計用のムーブメントでもよいし、ゼンマイを駆動源として発電する発電機と、この発電機の発電電力を充電する二次電池と、二次電池の電力で駆動されるステップモーターとを備えたムーブメントでもよい。更に、ムーブメント６としては、ゼンマイの駆動力で輪列を回転し、調速機構で調速する機械式時計用のムーブメントでもよい。
【００１９】
本実施形態のムーブメント６は、ステップモーター及び輪列を介して、図１に示す時針６１、分針６２、秒針６３を駆動する。更に、ムーブメント６は、ステップモーター及び輪列を介して日車６５を駆動する。なお、各指針や日車のレイアウトや数、種類などは図１に示すものに限定されない。
【００２０】
［リューズの構成］
リューズ７は、本発明の時計用リューズに相当し、使用者により操作される操作部として機能する。このリューズ７は、図２に示すように、リューズ本体８と、当該リューズ本体８に固定される飾り石９と、を備える。これらのうち、リューズ本体８は、真鍮やステンレス鋼等の金属により構成される頭部８１と軸部８２とを有する。
頭部８１は、その外端部が胴１１から突出した状態とされる。軸部８２は、貫通孔１１１を通して外装ケース２の内部にて、ムーブメント６に接続されている巻真６４と連結される。
頭部８１の軸部８２側の中央部には、軸部８２に向けて開放された凹部８１０が形成されている。この凹部８１０には、筒状部８１１が設けられ、当該筒状部８１１に軸部８２が嵌合される。また、頭部８１の軸部８２とは反対方向側の中央部には、本発明の凹部に相当する凹部８３が形成され、当該凹部８３には、紫外線硬化接着剤ＵＶにより飾り石９が固定される。
なお、凹部８３の構成については、後述する。
軸部８２は、ロウ付け等により固定された金属製のパイプ６６の内部において、合成樹脂等よりなるパッキン等を介して軸線方向に摺動自在かつ軸線回りに回転自在に構成される。
【００２１】
図３は、リューズ７の斜視図であり、図４は、リューズ７の平面図であり、図５は、図４に示すＢ１−Ｂ１線にて切断したリューズ７の断面図である。
頭部８１の外周面には、８つの装飾部８１２が形成されている。これら装飾部８１２は、それぞれ等間隔に上記外周面に配置され、それぞれの装飾部８１２の間には、軸部８２の延出方向（以下、第１方向という場合がある。）に延びるＶ字状の切欠８１３が形成されている。すなわち、切欠８１３は、上記装飾部８１２と同様に８つ上記外周面に等間隔に配置される。また、切欠８１３の稜線８１４は、後述する飾り石９の稜線９５１と等間隔に配置される。
【００２２】
［凹部の構成］
凹部８３は、飾り石９が固定される略円柱状の凹部であり、当該凹部８３における第１方向に直交する方向（以下、第２方向という場合がある。）の寸法は、飾り石９における第２方向の寸法より若干大きな寸法に形成されている。この凹部８３は、図３〜図５に示すように、底面８３１及び内側面８３２を有する。これらのうち、略円形状の底面８３１は、飾り石９の底面９２が当接する面であり、これら底面８３１及び底面９２は、平面により構成されている。これにより、飾り石９が凹部８３に配置されると、当該飾り石９の底面９２は、凹部８３の底面８３１に略隙間なく当接することとなる。
【００２３】
内側面８３２は、凹部８３の底面８３１から垂直に起立している。具体的に、内側面８３２は、底面８３１の外周縁から連続して第１方向とは反対方向側に延びている。この内側面８３２の深さ寸法ａは、０．６ｍｍに設定されている。
また、内側面８３２と飾り石９との間には、紫外線の照射により硬化する紫外線硬化接着剤ＵＶが配置され、当該紫外線硬化接着剤ＵＶに紫外線が照射されることにより、当該凹部８３に飾り石９が固定される。
【００２４】
ここで、凹部８３の内側面８３２の深さ寸法が０．５ｍｍ未満である場合、内側面８３２及び飾り石９と、紫外線硬化接着剤ＵＶとの接合面積（接触面積）が充分に確保できないので、リューズ７の製造工程において、不良率が高くなる。
【００２５】
【表１】
0006623848.tif 000002
【００２６】
具体的に、表１に示すように、内側面８３２の深さ寸法が０．３ｍｍの場合、２０個のリューズ７を製造した場合に不良数が６個となり、不良率が３０％となることが分かった。また、内側面８３２の深さ寸法が０．４ｍｍの場合、２０個のリューズ７を製造した場合に不良数が４個となり、不良率が２０％となることが分かった。
【００２７】
これに対し、内側面８３２の深さ寸法が０．５ｍｍ以上の場合（０．５ｍｍ〜０．７ｍｍの場合）、２０個のリューズ７を製造した場合に不良数が０個となり、不良率が０％となることが分かった。すなわち、内側面８３２の深さ寸法が０．５ｍｍ以上に設定されていれば、内側面８３２及び飾り石９と、紫外線硬化接着剤ＵＶとの接合面積が充分に確保されるので、凹部８３と飾り石９とが確実に固定される。
このように内側面８３２の深さ寸法ａは、０．５ｍｍ以上であることが好ましいことから、本実施形態では、当該深さ寸法を０．６ｍｍに設定している。
【００２８】
［飾り石の構成］
飾り石９は、前述したように、リューズ７、ひいては、時計１の美観を向上させるためにリューズ本体８の頭部８１の凹部８３に固定される。この飾り石９は、本実施形態では、ガラスにより構成される。
飾り石９は、図３〜図５に示すように、天面９１と、底面９２と、湾曲面９３と、側面９４と、８つの傾斜面９５と、を備える。
天面９１は、第１方向とは反対方向側から見た場合に、正八角形に形成されている。この天面９１に対向する底面９２は、略円形状に形成されている。また、底面９２の外周縁には、湾曲面９３が接続されている。この湾曲面９３は、第１方向と反対方向側に湾曲し、側面９４に接続されている。この側面９４は、凹部８３の底面８３１側から、当該凹部８３の開口面８３３より底面８３１側の位置まで垂直に延出する部位である。具体的に、側面９４は、湾曲面９３の端部から、第１方向とは反対方向側に垂直に延出している。このため、飾り石９が凹部８３に固定された際には、当該飾り石９の側面９４と、凹部８３の内側面８３２とは、平行となる。
【００２９】
また、これら湾曲面９３及び側面９４の深さ寸法ｂは、上記内側面８３２の深さ寸法ａに比べて小さく設定されている。例えば、湾曲面９３及び側面９４の深さ寸法ｂは、内側面８３２の深さ寸法ａの０．８倍程度に設定される。
８つの傾斜面９５のそれぞれは、側面９４の第１方向とは反対方向側の端部と、天面９１を構成する８つの辺のそれぞれとを接続する面である。これら傾斜面９５は、側面９４の上記端部から連続して内側面８３２から離れる方向に傾斜している。換言すると、これら傾斜面９５のそれぞれは、略扇状に形成され、第１方向に傾斜し、かつ、天面９１の各辺から第１方向に向かうに従って拡張している。また、隣り合う傾斜面９５のそれぞれは、角度を持って接続され、当該それぞれの傾斜面９５の間には、稜線９５１が形成される。すなわち、飾り石９は、８つの稜線９５１を有する。
【００３０】
これら８つの稜線９５１は、それぞれ切欠８１３の稜線８１４と等間隔に配置されている。これにより、例えば、紫外線硬化接着剤ＵＶが塗布された凹部８３に、飾り石９を配置した後、上記稜線８１４と稜線９５１の位置を合わせることにより、容易に飾り石９の位置合わせを行うことができる。
【００３１】
［紫外線硬化接着剤の構成］
紫外線硬化接着剤ＵＶは、紫外線の照射により硬化する紫外線硬化樹脂により構成される。この紫外線硬化接着剤ＵＶは、凹部８３の底面８３１に塗布される。そして、当該紫外線硬化接着剤ＵＶが塗布された凹部８３に飾り石９が配置されると、凹部８３に塗布された紫外線硬化接着剤ＵＶが内側面８３２側に押し出され、当該内側面８３２と飾り石９との間に充填される。この状態において、上記稜線８１４と稜線９５１との位置合わせが行われ、リューズ本体８に紫外線が照射される。これにより、紫外線硬化接着剤ＵＶが硬化し、飾り石９が頭部８１の凹部８３に強固に固定される。
なお、本実施形態では、図示は省略するが、飾り石９の底面９２と、凹部８３の底面８３１との間にも、紫外線硬化接着剤ＵＶが配置されている。
【００３２】
このような紫外線硬化接着剤ＵＶは、上記底面９２及び底面８３１との間の他、図５に示すように、凹部８３の内側面８３２と飾り石９との間に配置される。具体的に、内側面８３２と、飾り石９の湾曲面９３、側面９４及び傾斜面９５の一部と、の間に配置される。詳述すると、湾曲面９３は、上記第１方向とは反対方向側に湾曲しているため、上記底面９２及び底面８３１との間に配置された紫外線硬化接着剤ＵＶが押し出され、当該湾曲面９３に沿って、湾曲面９３と内側面８３２との間に位置する紫外線硬化接着剤ＵＶが配置される。
また、側面９４と内側面８３２とは、平行であるため、当該側面９４及び内側面８３２の間には、均等に紫外線硬化接着剤ＵＶが配置される。更に、傾斜面９５は、側面９４の第１方向とは反対方向側の端部から内側面８３２から離れる方向に傾斜しているので、当該傾斜面９５と内側面８３２との間にも紫外線硬化接着剤ＵＶが配置される。
【００３３】
すなわち、傾斜面９５の一部には、紫外線硬化接着剤ＵＶが重なっており、その厚さ寸法αは、傾斜面９５の第１方向側の端部から開口面８３３までの距離と同じである。このため、本実施形態においては、内側面８３２の深さ寸法ａは、湾曲面９３及び側面９４の深さ寸法ｂと傾斜面９５に重なって配置される紫外線硬化接着剤ＵＶの厚さ寸法αの和と同一となる。
このように、本実施形態においては、飾り石９における４面（底面９２、湾曲面９３、側面９４及び傾斜面９５）と凹部８３との間に紫外線硬化接着剤ＵＶが配置されている。これにより、飾り石９が凹部８３に強固に固定され、当該飾り石９の上記第１方向とは反対方向への移動が規制されている。
【００３４】
［第１実施形態の効果］
以上説明した本実施形態に係る時計１は、以下の効果を奏する。
凹部８３の内側面８３２の深さ寸法ａが０．５ｍｍ以上である０．６ｍｍに設定されていることから、当該内側面８３２と飾り石９との間に充分に紫外線硬化接着剤ＵＶが配置される。これによれば、凹部８３及び飾り石９における紫外線硬化接着剤ＵＶとの接合面積を拡大できるので、凹部８３と飾り石９とを確実に固定できる。このため、例えば、リューズ７の製造過程における不良率を低減できる。また、製造後においても、当該飾り石９に衝撃が加えられた場合であっても、当該衝撃により飾り石９が当該凹部８３から外れることを抑制できる。
【００３５】
凹部８３の内側面８３２が底面８３１から垂直に起立し、飾り石９が内側面８３２と平行な側面９４を有しているので、内側面８３２と飾り石９の側面９４との間に略均等に紫外線硬化接着剤ＵＶを配置できる。すなわち、内側面８３２と側面９４とが平行でない場合に比べて、当該内側面８３２と側面９４との接合力を高めることができる。従って、飾り石９をリューズ本体８に固定できる。
【００３６】
飾り石９の傾斜面９５と内側面８３２との間に紫外線硬化接着剤ＵＶが配置されるので、当該飾り石９を凹部の内側面８３２のみならず、開口面８３３側でも固定することができる。これによれば、飾り石９が凹部８３の開口面８３３側への移動を確実に規制することができるので、リューズ７の衝撃等に対する強度を更に高めることができる。
【００３７】
凹部８３の内側面８３２と飾り石９との間に配置される接着剤が紫外線硬化接着剤ＵＶにより構成されているので、紫外線が照射されるまで、当該紫外線硬化接着剤ＵＶは硬化することがない。これによれば、凹部８３に飾り石９を配置した後、当該飾り石９の位置を上記稜線８１４及び稜線９５１の位置合わせを行うだけで、容易に調整できる。
【００３８】
ここで、凹部８３の底面８３１及び飾り石９の底面９２の少なくとも一方が平面でない場合、凹部８３内に飾り石９を安定して配置することができない。
これに対し、本実施形態では、凹部８３の底面８３１及び飾り石９の底面９２が平面により構成されているので、飾り石９が凹部８３に配置されると、当該飾り石９の底面９２は、凹部８３の底面８３１に紫外線硬化接着剤ＵＶを挟んで略隙間なく当接する。これによれば、凹部８３内に飾り石９を安定して配置できる。
また、本実施形態では、凹部８３の内側面８３２近傍において、飾り石９を確実に固定できるので、例えば、飾り石９が紫外線の通過を妨げる物質により構成されていてもよい。すなわち、飾り石９として使用する部材の材質を選ばないので、リューズ７の美観を向上させる可能性をより高めることができる。
【００３９】
［第２実施形態］
次に、本発明の第２実施形態に係る時計１Ａについて説明する。
上記第１実施形態に係る時計１では、リューズ７の頭部８１の凹部８３に固定される飾り石９は、天面９１、底面９２、湾曲面９３、側面９４及び傾斜面９５を備える形状であった。これに対し、本実施形態に係る時計１Ａの飾り石は、上記飾り石９とは異なる略半球形状である点で上記時計１と相違する。
なお、以下の説明では、上記第１実施形態と同様の構成については、同番号を付し、説明を省略及び簡略化し、異なる点のみ詳しく説明する。
【００４０】
図６は、第２実施形態に係る時計１Ａを示す断面図である。
本実施形態では、リューズ本体８の頭部８１の凹部８３には、図６に示すように、飾り石９に代えて、飾り石９Ａが固定される。
飾り石９Ａは、例えば、セラミックにより構成される半球形状である。この飾り石９Ａは、図６に示すように、半球形状に構成されているため、当該半球形状の飾り石９Ａの曲面に沿って紫外線硬化接着剤ＵＶが配置される。
【００４１】
［第２実施形態の効果］
本実施形態に係る時計１Ａは、上記実施形態に係る時計１と同様の効果を奏する他、以下の効果を奏する。
本実施形態では、飾り石９Ａが半球状に形成されているので、半球形状の飾り石９Ａの開口面８３３側の曲面を紫外線硬化接着剤ＵＶにより覆うことができる。従って、半球状の飾り石９Ａを確実に固定できる。
【００４２】
［実施形態の変形］
本発明は、上記各実施形態に限定されるものではなく、本発明の目的を達成できる範囲での変形、改良等は本発明に含まれるものである。
上記各実施形態では、凹部８３の内側面８３２の深さ寸法ａは、０．６ｍｍであることとした。しかしながら、本発明は、これに限らない。例えば、深さ寸法ａは、０．５ｍｍであってもよいし、０．７ｍｍであってもよい。すなわち、深さ寸法ａは、０．５ｍｍ以上であればよい。
【００４３】
上記第１実施形態では、湾曲面９３及び側面９４の深さ寸法ｂは、内側面８３２の深さ寸法ａの０．８倍程度に設定されることとした。しかしながら、本発明は、これに限らない。例えば、湾曲面９３及び側面９４の深さ寸法ｂは、内側面８３２の深さ寸法ａの０．５倍程度であってもよいし、０．９倍程度であってもよい。すなわち、上記深さ寸法ｂは、上記深さ寸法ａより小さければよい。
【００４４】
上記各実施形態では、内側面８３２は、凹部８３の底面８３１から垂直に起立していることとした。しかしながら、本発明は、これに限らない。例えば、内側面８３２は、垂直に起立していなくてもよく、飾り石９，９Ａに向かう方向に傾斜していてもよいし、離れる方向に傾斜していてもよい。
【００４５】
上記第１実施形態では、飾り石９は、凹部８３の底面側から、当該凹部８３の開口面８３３より底面８３１側の位置まで垂直に起立する起立面としての側面９４を有することとした。しかしながら、本発明は、これに限らない。例えば、第２実施形態のように起立面を備えなくてもよい。
また、上記第１実施形態では、飾り石９は、起立面としての側面９４の端部から連続して内側面８３２から離れる方向に傾斜する傾斜面９５を有することとした。しかしながら、本発明は、これに限らない。例えば、飾り石９は、傾斜面９５を有していなくてもよい。すなわち、飾り石９の形状は、上記第１実施形態の形状に限らず、三角錐や四角錐であってもよいし、三角柱や四角柱であってもよい。換言すると、飾り石９は、どのような形状であってもよい。
【００４６】
上記第１実施形態では、飾り石９の傾斜面９５と内側面８３２との間に紫外線硬化接着剤ＵＶが配置されることとした。しかしながら、本発明は、これに限らない。例えば、傾斜面９５と内側面８３２との間に紫外線硬化接着剤ＵＶが配置されなくてもよい。この場合であっても、内側面８３２と湾曲面９３及び側面９４との間に紫外線硬化接着剤ＵＶが配置されるので、上記深さ寸法ｂが０．５ｍｍ以上であれば、上記実施形態と略同様の効果を奏することができる。また、この場合、傾斜面９５に紫外線硬化接着剤ＵＶが配置されないので、飾り石９の美観を更に向上させることができる。
【００４７】
上記各実施形態では、飾り石９，９Ａの底面９２及び凹部８３の底面８３１は、平面であることとした。しかしながら、本発明は、これに限らない。例えば、飾り石９，９Ａの底面は、突出していてもよいし、凹部を有していてもよい。この場合、凹部８３の底面８３１の形状が当該飾り石９，９Ａの底面９２の形状に合わせた形状であればよい。この場合であっても、上記各実施形態と同様の効果を奏することができる。
【００４８】
上記各実施形態では、飾り石９，９Ａは、ガラス及びセラミックにより構成されることとした。しかしながら、本発明は、これに限らない。すなわち、上記実施形態では、凹部８３の内側面８３２と飾り石９との間に紫外線硬化接着剤ＵＶを配置して固定するので、例えば、飾り石９は、透明な石に限らず、アクリル、サファイア、ルビー、スワロフスキー、ダイヤモンド、オニキス、パール、プラスチック等により構成されてもよい。
【００４９】
上記各実施形態では、飾り石９，９Ａを凹部８３に固定する接着剤として、紫外線硬化樹脂（紫外線硬化接着剤ＵＶ）を用いることとした。しかしながら、本発明は、これに限らない。例えば、上記接着剤として、紫外線硬化接着剤ＵＶに代えて、シリコーン系の接着剤を用いてもよい。すなわち、どのような接着剤を使用してもよい。
【符号の説明】
【００５０】
１…時計、１１…胴、１１１…貫通孔、１２…ベゼル、１５…文字板、１６…ダイヤルリング、１Ａ…時計、２…外装ケース、３…ケース本体、４…裏蓋、５…カバーガラス、６…ムーブメント、６１…時針、６２…分針、６３…秒針、６４…巻真、６５…日車、６６…パイプ、７…リューズ（時計用リューズ）、８…リューズ本体、８１…頭部、８１０…凹部、８１２…装飾部、８１３…切欠、８１４…稜線、８２…軸部、８３…凹部、８３１…底面、８３２…内側面、８３３…開口面、９，９Ａ…飾り石、９１…天面、９２…底面、９３…湾曲面、９４…側面（起立面）、９５…傾斜面、９５１…稜線、ＵＶ…紫外線硬化接着剤、ａ…寸法、ｂ…寸法、α…寸法。
【図１】
0006623848.tif 000003
【図２】
0006623848.tif 000004
【図３】
0006623848.tif 000005
【図４】
0006623848.tif 000006
【図５】
0006623848.tif 000007
【図６】
0006623848.tif 000008